(57)【特許請求の範囲】
【請求項１】
受信されるデータのデータ品質が目標データ品質に近づくように、インナーループ送信電力制御に使用される目標信号品質を更新するアウターループ送信電力制御を行う送信電力制御装置において、
受信されたデータをデータ系列毎に復号するデータ復号化手段と、
受信されたデータに含まれる所定の情報又は受信されたデータに対する前記データ復号化手段による復号結果に基づいて当該データが受信された物理チャネルの品質を検出する物理チャネル品質検出手段と、
前記データ復号化手段による復号結果に基づいて所定の時間区間におけるデータ品質をデータ系列毎に検出するデータ品質検出手段と、
前記データ品質検出手段により検出されたデータ品質と前記目標データ品質とをデータ系列毎に比較するデータ品質比較手段と、
物理チャネルの品質及び検出されたデータ品質と前記目標データ品質との比較結果の組み合わせと係数との対応付けに基づいて、前記物理チャネル品質検出手段により検出された物理チャネルの品質及び前記データ品質比較手段による比較結果の組み合わせに対応した係数をデータ系列毎に決定する係数決定手段と、
前記係数決定手段により決定されたデータ系列毎の係数を複数のデータ系列について合成する係数合成手段と、
前記係数合成手段による合成結果に基づいて前記目標信号品質を更新する目標信号品質更新手段と、
を備えたことを特徴とする送信電力制御装置。
【発明の詳細な説明】
【技術分野】
【０００１】
本発明は、例えば、携帯端末装置などに設けられる送信電力制御装置に関し、特に、受信したデータの受信品質が与えられるＴａｒｇｅｔ（目標）のブロックエラーレート（ＢＬＥＲ：Ｂｌｏｃｋ  Ｅｒｒｏｒ  Ｒａｔｅ）に近づくように、インナーループ送信電力制御に使用されるＴａｒｇｅｔ（目標）の信号対干渉比（ＳＩＲ：Ｓｉｇｎａｌ  ｔｏ  Ｉｎｔｅｒｆｅｒｅｎｃｅ  Ｒａｔｉｏ）を更新するアウターループ送信電力制御を行う送信電力制御装置に関する。
【背景技術】
【０００２】
例えば、移動体通信システムでは、拡散符号を用いるＣＤＭＡ（Ｃｏｄｅ  Ｄｉｖｉｓｉｏｎ  Ｍｕｌｔｉｐｌｅ  Ａｃｃｅｓｓ）方式などを使用して、無線基地局装置と無線端末装置との間で無線により通信が行われる。このような移動体通信システムにおいては、例えば、無線通信に際して送信電力の制御が行われる。具体例としては、一方の通信装置が他方の通信装置から受信した信号の品質などに基づいて他方の通信装置に対して送信電力を制御するための情報（例えば、ＴＰＣ（Ｔｒａｎｓｍｉｔ  Ｐｏｗｅｒ  Ｃｏｎｔｒｏｌ）のコマンド）を通知し、他方の通信装置が通知された当該情報に基づいて送信電力を変化させる。
以下では、携帯端末装置における送信電力制御を例として説明するが、同様な構成や動作を無線基地局装置などの他の装置に適用することも可能である。
【０００３】
図６には、送信電力制御を行う携帯端末装置に設けられる送信電力制御装置の構成例を示してある。
ベースバンド（ＢＢ）送信信号出力処理部は、送信データの符号化をデータ系列毎に行う複数（本例では、２個）の符号化部１０１−１、１０１−２と、符号化された送信データの多重化を行うデータ多重化部１０２と、多重化後のデータにパイロットビット及びＴＰＣ（Ｔｒａｎｓｍｉｔ  Ｐｏｗｅｒ  Ｃｏｎｔｒｏｌ）コマンドなどの無線区間制御データを挿入して送信データフレームを生成し且つ無線区間に伝送するための物理チャネル（物理ＣＨ）へのマッピングを行う物理チャネルマッピング部１０３と、マッピングされた物理チャネル信号に対して例えばＱＰＳＫ（Ｑｕａｄｒａｔｕｒｅ  Ｐｈａｓｅ  Ｓｈｉｆｔ  Ｋｅｙｉｎｇ）や１６ＱＡＭ（１６  Ｑｕａｄｒａｔｕｒｅ  Ａｍｐｌｉｔｕｄｅ  Ｍｏｄｕｌａｔｉｏｎ）などの一次変調を行う変調部１０４と、呼毎の拡散符号を用いて拡散変調を行う拡散部１０５から構成されている。
【０００４】
ベースバンド（ＢＢ）受信信号処理部は、ＢＢ受信信号に対して呼毎の参照符号を用いて参照符号の位相をずらしながら逆拡散を行い、呼の受信信号パスを抽出するパスサーチ部１１１と、パスサーチ部１１１により抽出されたパスの位置に対して逆拡散を行って受信シンボルを抽出する逆拡散部１１２と、逆拡散部１１２により抽出された呼毎の受信シンボルを用いてその受信品質（ＳＩＲ）を測定するＳＩＲ測定部１１３と、逆拡散部１１２により抽出された呼毎の受信シンボルに対して同期検波及びＲＡＫＥ合成を施す同期検波ＲＡＫＥ部１１４と、同期検波及びＲＡＫＥ合成が行われた受信シンボルを判定するデータ判定部１１５と、データ判定部１１５から出力される判定結果を無線区間制御データやデータ系列毎に分離するデータ分離部１１６と、データ分離部１１６により分離されたデータをデータ系列毎に復号する複数（本例では、２個）のデータ復号化部１１７−１、１１７−２と、データ系列のうちでいわゆるユーザーデータが伝送される系列の復号結果を用いてＴａｒｇｅｔＳＩＲを更新するＴａｒｇｅｔＳＩＲ制御部１１８と、ＳＩＲ測定部１１３により測定されたＳＩＲとＴａｒｇｅｔＳＩＲ制御部１１８から与えられるＴａｒｇｅｔＳＩＲから挿入ＴＰＣコマンドを決定する挿入ＴＰＣ生成部１１９から構成されている。
【０００５】
図６に示される送信電力制御装置の動作の一例を示す。
データ符号化部１０１−１、１０１−２により符号化された送信ユーザーデータは、データ多重化部１０２に入力される。データ多重化部１０２では、それぞれのデータ符号化部１０１−１、１０１−２により符号化されたデータの多重化を行う。多重化後の送信データは、物理チャネルマッピング部１０３に入力される。物理チャネルマッピング部１０３では、多重化後のデータに同期検波用のパイロットビット及びＴＰＣコマンドなどの無線区間制御データを挿入して送信データフレームを生成し、且つ無線区間に伝送するための物理チャネル（符号チャネル）へのマッピングを行う。物理チャネルマッピング部１０３でフレーム化及び物理チャネルへのマッピングが行われた送信データは、変調部１０４により変調され、拡散部１０５により拡散処理されて、ＢＢ送信信号として出力される。
【０００６】
ここで、パイロットビットとしては、該当する呼のシステムタイミングを元にして、基地局装置及び端末装置にとって共に既知であるユニークな系列が挿入される。
また、ＴＰＣコマンドに関しては、例えば、端末装置側が受信した無線区間制御データからそのＳＩＲを測定し、その測定結果に応じて挿入ＴＰＣ生成部１１９において挿入するＴＰＣが決定されて生成される。一般的には、該当する呼のＴａｒｇｅｔＳＩＲと測定ＳＩＲとを比較して、（測定ＳＩＲ＞ＴａｒｇｅｔＳＩＲ）である時にはＤＯＷＮコマンドを生成し、（測定ＳＩＲ＜ＴａｒｇｅｔＳＩＲ）である時にはＵＰコマンドを生成する。
【０００７】
一方、受信されたＢＢ受信信号は、まず、パスサーチ部１１１によりパスのタイミングの抽出が行われる。パスの抽出では、例えば、該当する呼用の参照符号を用いて、参照符号の位相をずらしながら逆拡散（相関演算）を行い、相関値が閾値を超える場合にそのタイミングをパスのタイミングと判定する。パスサーチ部１１１により抽出されたパスに対して、逆拡散部１１２では逆拡散が施される。
逆拡散後の受信シンボルを用いて、ＳＩＲ測定部１１３により呼毎の受信品質（ＳＩＲ）を求める。このＳＩＲは、上記した測定ＳＩＲに相当し、挿入ＴＰＣ生成部１１９における挿入ＴＰＣの決定に用いられる。
【０００８】
また、逆拡散後の受信シンボルに対して、同期検波ＲＡＫＥ部１１４で同期検波及びＲＡＫＥ合成が行われる。同期検波及びＲＡＫＥ合成後のシンボルはデータ判定部１１５に入力される。データ判定部１１５ではデータ判定が行われ、データ分離部１１６では無線区間制御データやデータ系列毎に分離するデータ分離が行われる。分離後のそれぞれのデータ系列は、それぞれ各データ復号化部１１７−１、１１７−２で復号され、それぞれのデータを得る。また、データ系列のうちでいわゆるユーザーデータが伝送される系列の復号結果を用いてＴａｒｇｅｔＳＩＲを更新する処理をＴａｒｇｅｔＳＩＲ制御部１１８で行う。
【０００９】
以上が従来技術における携帯端末装置の動作例である。
次に、携帯端末装置における送信電力制御の方法について詳しく説明する。
通信中の伝搬環境の変化があることから、所望のＢＬＥＲを得るために必要なＳＩＲは一定ではない。この変化に対応するために、ＢＬＥＲを観測して、観測値が目標ＢＬＥＲよりも悪い場合或いはＣＲＣ（Ｃｙｃｌｉｃ  Ｒｅｄｕｎｄａｎｃｙ  Ｃｈｅｃｋ）のＮＧ（失敗）が発生した場合には目標ＳＩＲを増加させ、観測値が目標ＢＬＥＲよりも良い場合或いはＣＲＣのＯＫ（成功）が確認された場合には目標ＳＩＲを減少させるような制御が行われる。
このように所望のＢＬＥＲを実現するために目標ＳＩＲを変更する制御は、アウターループ送信電力制御として周知である。図６に示される例では、ユーザーデータ系列の復号結果（例えば、ＣＲＣのＯＫ又はＮＧ）を利用してＴａｒｇｅｔＳＩＲの更新を行っている。
【００１０】
【特許文献１】特開２００５−１５９４９６号公報
【特許文献２】特開２００５−２３６７０９号公報
【発明の開示】
【発明が解決しようとする課題】
【００１１】
しかしながら、従来の送信電力制御方法及びアウターループ制御方法には次の問題点があった。
呼接続直後は、ユーザーが通信を行うために移動局装置（例えば、携帯端末装置）と基地局装置との間で必要な制御データの送受が頻繁に行われる。具体的には、呼接続を行う旨の制御情報がデータ系列の一つとして基地局装置側から移動局装置側へ送信される。図６における制御データ系列がこれに該当する。
【００１２】
図７には、ＴａｒｇｅｔＳＩＲ制御部１１８の動作例として、横軸に時間（ｔ）を表し、縦軸にＴａｒｇｅｔＳＩＲを表し、時間の経過によるＴａｒｇｅｔＳＩＲの推移の一例を示してある。ＴａｒｇｅｔＳＩＲの更新周期をＴとしてある。
図７に示されるように、呼接続直後のアウターループ初期状態では、初期ＴａｒｇｅｔＳＩＲから始まり、急速にＴａｒｇｅｔＳＩＲのマイナス（−）側への更新を行い、ユーザーデータ系列におけるＣＲＣ−ＮＧを出現させて定常状態にする制御が行われる。
【００１３】
このときに、図７に示されるように、制御データのＣＲＣ−ＮＧ発生ポイントよりも、ユーザーデータのＣＲＣ−ＮＧ発生ポイントの方が低い場合には、ＴａｒｇｅｔＳＩＲは、制御データのＣＲＣ−ＮＧ発生レベルを（マイナス側へ）越えて、ユーザーデータでＣＲＣ−ＮＧが発生するレベルに至って定常状態になる。しかしながら、初期状態時は、制御データを送受することが多いため、ＴａｒｇｅｔＳＩＲが制御データのＣＲＣ−ＮＧ発生ポイント以下の領域においては、必要な制御データを取りこぼす可能性がある。
また、定常状態においても、ユーザーデータのみに着目してＴａｒｇｅｔＳＩＲを制御する従来方式では、定常通信中の制御データについて取りこぼす可能性があると考えられる。
【００１４】
本発明は、このような従来の事情に鑑み為されたもので、例えば、受信したデータの受信品質が与えられるＴａｒｇｅｔＢＬＥＲに近づくように、インナーループ送信電力制御に使用されるＴａｒｇｅｔＳＩＲを更新するアウターループ送信電力制御を行うような場合に、良好な送信電力制御を実現することができる送信電力制御装置を提供することを目的とする。
具体的には、本発明は、例えば、インナーループ送信電力制御とアウターループ送信電力制御とを併用する送信電力制御を行う場合に、同時に通信される制御データを含むデータ系列について、所望以上のデータ品質を確保することができる送信電力制御装置を提供することを目的とする。
【課題を解決するための手段】
【００１５】
上記目的を達成するため、本発明では、受信されるデータのデータ品質が目標データ品質（目標となるデータ品質）に近づくように、インナーループ送信電力制御に使用される目標信号品質（目標となる信号品質）を更新するアウターループ送信電力制御を行う送信電力制御装置において、次のような構成とした。
すなわち、データ復号化手段が、受信されたデータをデータ系列毎に復号する。物理チャネル品質検出手段が、受信されたデータに含まれる所定の情報、又は、受信されたデータに対する前記データ復号化手段による復号結果に基づいて、当該データが受信された物理チャネルの品質を検出する。データ品質検出手段が、前記データ復号化手段による復号結果に基づいて、所定の時間区間におけるデータ品質をデータ系列毎に検出する。データ品質比較手段が、前記データ品質検出手段により検出されたデータ品質と前記目標データ品質とをデータ系列毎に比較する。係数決定手段が、物理チャネルの品質及び検出されたデータ品質と前記目標データ品質との比較結果の組み合わせと係数との対応付けに基づいて、前記物理チャネル品質検出手段により検出された物理チャネルの品質及び前記データ品質比較手段による比較結果の組み合わせに対応した係数をデータ系列毎に決定する。係数合成手段が、前記係数決定手段により決定されたデータ系列毎の係数を複数のデータ系列について合成（例えば、加算）する。目標信号品質更新手段が、前記係数合成手段による合成結果に基づいて、前記目標信号品質を更新する。
【００１６】
従って、例えば、受信したデータの受信品質が与えられるＴａｒｇｅｔＢＬＥＲに近づくように、インナーループ送信電力制御に使用されるＴａｒｇｅｔＳＩＲを更新するアウターループ送信電力制御を行うような場合に、良好な送信電力制御を実現することができる。具体的には、例えば、インナーループ送信電力制御とアウターループ送信電力制御とを併用する送信電力制御を行う場合に、同時に通信される制御データを含むデータ系列について、所望以上のデータ品質を確保することができる。
【００１７】
ここで、信号品質としては、例えば、ＳＩＲの値を用いることができる。
また、物理チャネルの品質としては、例えば、復号前（誤り訂正前）のデータに関して、ＢＥＲの値を用いることができる。
また、データ品質としては、例えば、復号後（誤り訂正後）のデータに関して、ＢＬＥＲの値を用いることができる。
また、目標データ品質としては、例えば、予め一定の値が設定されてもよく、或いは、予め設定された所定の条件に応じて又はユーザ（人）による指示などにより、可変に設定されてもよい。
【００１８】
また、データ系列としては、例えば、ユーザーデータ系列や、制御データ系列を用いることができる。
また、物理チャネルの品質を検出する手法としては、種々なものが用いられてもよく、例えば、受信されたデータに含まれるパイロットビット等の所定の情報と予め設定された当該パイロットビット等の参照ビットの情報とを比較して物理チャネルの品質を検出する手法や、或いは、１つ又は複数のデータ系列に関する受信データについて、復号前のデータと復号後のデータとを比較して物理チャネルの品質を検出する手法や、或いは、これら両方の手法による結果を平均化するなどのように、これら両方の手法を利用する手法などを用いることができる。
【００１９】
また、所定の時間区間におけるデータ品質を検出する場合における当該所定の時間区間としては、種々なものが用いられてもよく、例えば、１つのデータブロックに相当する時間区間の複数倍の時間区間を用いることができる。
また、データ品質としては、例えば、ＣＲＣの判定結果（ＯＫ又はＮＧ）を累積的に用いて検出することができる。
【００２０】
また、物理チャネルの品質及び検出されたデータ品質と目標データ品質との比較結果の組み合わせとしては、種々なものが用いられてもよく、例えば、物理チャネルの品質（例えば、ＢＥＲ）に関して複数の領域（段階）を設けておき、データ品質（例えば、ＢＬＥＲ）については目標データ品質との大小関係を比較結果とし、そして、前記複数の領域のそれぞれ毎且つ前記比較結果のそれぞれ毎の組み合わせを用いることができる。このような組み合わせと、目標信号品質を更新するための係数とが対応付けられる。
【００２１】
また、係数の合成結果に基づいて目標信号品質を更新する手法としては、種々なものが用いられてもよく、例えば、総じて受信の状態が良いとみなされる場合には目標信号品質を低減させる一方、総じて受信の状態が悪いとみなされる場合には目標信号品質を増加させるような手法を用いることができる。
【００２２】
以下で、本発明に関する構成例として、（構成例１）、（構成例２）を示しておく。
（構成例１）受信したデータの受信品質が、与えられる目標データ品質（以下、ＴａｒｇｅｔＢＬＥＲ）に近づくように、インナーループ送信電力制御に使用される目標信号品質（以下、ＴａｒｇｅｔＳＩＲ）を更新するアウターループ送信電力制御を行う送信電力制御方法や送信電力制御装置において、
受信データを受信データ系列毎に復号化する複数の復号化手段と、
前記復号化手段の復号結果やパイロットビット等の無線区間制御データから、当該データを受信した物理チャネルの品質を推定する手段と、
前記復号化手段の復号結果から、当該データ系列の任意の時間区間におけるデータ品質をデータ系列毎に測定する手段と、
測定したデータ品質とＴａｒｇｅｔＢＬＥＲとを比較し、比較結果を出力する手段と、
前記推定した物理チャネルの品質により、複数の段階に分けて、その段階毎に当該ＴａｒｇｅｔＢＬＥＲとの比較結果出力とからＴａｒｇｅｔＳＩＲを更新するための調整係数を決定し、出力する手段と、
当該データ系列毎の調整係数を合成する手段と、
合成後の調整係数を用いてＴａｒｇｅｔＳＩＲを更新する手段と、
を有することを特徴とする送信電力制御方法や送信電力制御装置。
【００２３】
（構成例２）送信データをデータ系列毎に符号化する符号化手段と、
前記符号化したデータを時間多重化するデータ多重化手段と、
多重化後データにパイロットビット及びＴＰＣコマンドなどの無線区間制御データを挿入して送信データフレームを生成し、且つ無線区間に伝送するための物理チャネルへのマッピングを行う物理チャネルマッピング手段と、
マッピングされた物理チャネル信号に対し、例えば、ＱＰＳＫ、１６ＱＡＭなどの一次変調を行う手段と、
呼毎の拡散符号を用いて拡散変調を行う手段と、
ベースバンド受信信号から呼毎の参照符号を用いて呼の受信信号パスを抽出するパスサーチ手段と、
抽出されたパス位置に対して逆拡散を行う手段と、
逆拡散後の受信シンボルからその信号品質（ＳＩＲ）を測定するＳＩＲ測定手段と、
逆拡散後の受信シンボルに対し同期検波ＲＡＫＥ合成を施す同期検波ＲＡＫＥ手段と、
同期検波ＲＡＫＥ合成した受信信号を判定する手段と、
判定したデータを無線区間制御データやデータ系列毎に分離するデータ分離手段と、
分離後の受信データを用いて前記（構成例１）に記載の電力制御処理を行う電力制御手段と、
を有する特徴とする前記（構成例１）に記載の送信電力制御方法や送信電力制御装置。
【発明の効果】
【００２４】
以上説明したように、本発明に係る送信電力制御によると、受信されるデータのデータ品質が目標データ品質に近づくように、インナーループ送信電力制御に使用される目標信号品質を更新するアウターループ送信電力制御を行うに際して、良好な送信電力制御を実現することができ、具体的には、例えば、インナーループ送信電力制御とアウターループ送信電力制御とを併用する送信電力制御を行う場合に、同時に通信される制御データを含むデータ系列について、所望以上のデータ品質を確保することができる。
【発明を実施するための最良の形態】
【００２５】
本発明に係る実施例を図面を参照して説明する。
なお、本実施例では、携帯端末装置における送信電力制御を例として説明するが、同様な構成や動作を無線基地局装置などの他の装置に適用することも可能である。
【００２６】
図１には、本発明の一実施例に係る送信電力制御を行う携帯端末装置に設けられる送信電力制御装置の構成例を示してある。
本例の送信電力制御装置は、複数（本例では、２個示した）のデータ符号化部１−１、１−２と、データ多重化部２と、物理チャネルマッピング部３と、変調部４と、拡散部５と、パスサーチ部１１と、逆拡散部１２と、ＳＩＲ測定部１３と、同期検波ＲＡＫＥ部１４と、データ判定部１５と、データ分離部１６と、複数（本例では、２個示した）のデータ復号化部１７−１、１７−２と、物理チャネルＢＥＲ（Ｂｉｔ  Ｅｒｒｏｒ  Ｒａｔｅ）推定部１８と、ＴａｒｇｅｔＳＩＲ制御部１９と、挿入ＴＰＣ生成部２０を備えている。
【００２７】
各データ符号化部１−１、１−２は、送信データの符号化を行う。
データ多重化部２は、符号化された送信データの時間多重化を行う。
物理チャネルマッピング部３は、多重化後のデータにパイロットビット及びＴＰＣコマンドなどの無線区間制御データを挿入して送信データフレームを生成し、且つ無線区間に伝送するための物理チャネルへのマッピングを行う。
変調部４は、マッピングされた物理チャネルデータに対して、例えば、ＱＰＳＫ、１６ＱＡＭなどの一次変調を行う。
拡散部５は、呼毎の拡散符号を用いて拡散変調を行う。
【００２８】
パスサーチ部１１は、ＢＢ受信信号から、呼毎の参照符号を用いて、呼の受信信号パスを抽出する。
逆拡散部１２は、パスサーチ部１１により抽出されたパスの位置に対して逆拡散を行う。
ＳＩＲ測定部１３は、逆拡散部１２により抽出された呼毎の受信シンボルを用いて、その受信品質（本例では、ＳＩＲ）を測定する。
【００２９】
同期検波ＲＡＫＥ部１４は、逆拡散部１２により抽出された呼毎の受信シンボルに対して、同期検波及びＲＡＫＥ合成を施す。
データ判定部１５は、同期検波及びＲＡＫＥ合成された受信信号を判定する。
データ分離部１６は、データ判定部１５からの出力を無線区間制御データやデータ系列毎に分離する。
【００３０】
各データ復号化部１７−１、１７−２は、データ分離部１６により分離されたデータをデータ系列毎に復号する。本例では、データ復号化部１７−１はユーザーデータ系列に対応しており、データ復号化部１７−２は制御データ系列に対応している。
物理チャネルＢＥＲ推定部１８は、データ分離部１６により分離されたパイロットビットなどの無線区間制御データや、複数のデータ復号化部１７−１、１７−２からの復号結果を用いて、そのデータを受信した物理チャネルの品質を推定する。
【００３１】
ＴａｒｇｅｔＳＩＲ制御部１９は、複数のデータ復号化部１７−１、１７−２からのデータの復号結果から現在のデータ系列の受信品質を測定して、その測定値とＴａｒｇｅｔＢＬＥＲ等の目標の品質とを比較し、その比較結果と物理チャネルＢＥＲ推定部１８からの出力である物理チャネルＢＥＲ推定値を用いて、インナーループのためのＴａｒｇｅｔＳＩＲを更新する。
挿入ＴＰＣ生成部２０は、測定されたＳＩＲと与えられるＴａｒｇｅｔＳＩＲから、挿入ＴＰＣコマンドを決定する。
【００３２】
次に、本例の送信電力制御装置の動作の一例を示す。
送信データは、その送信データ系列毎にデータ符号化部１−１、１−２により符号化されて、データ多重化部２により時間多重される。多重化後の送信データは物理チャネルマッピング部３に入力されて、パイロットビット及びＴＰＣコマンドなどの無線区間制御データが挿入されて送信データフレームが生成され、且つ無線区間に伝送するための物理チャネル（符号チャネル）へのマッピングが行われて出力される。マッピングされた物理チャネルデータに対して、変調部４では例えばＱＰＳＫや１６ＱＡＭなどの一次変調が施され、拡散部５では呼毎の拡散符号を用いて拡散変調が行われて、ＢＢ送信信号として出力される。
【００３３】
一方、受信されたＢＢ受信信号については、まず、パスサーチ部１１によりパスのタイミングの抽出が行われる。パスの抽出では、例えば、該当する呼用の参照符号を用いて参照符号の位相をずらしながら逆拡散（相関演算）を行い、相関値が閾値を超える場合にそのタイミングをパスのタイミングと判定する。パスサーチ部１１により抽出されたパスに対して、逆拡散部１２では逆拡散が施される。逆拡散後の受信シンボルを用いて、ＳＩＲ測定部１３により呼毎の受信品質（本例では、ＳＩＲ）を求める。
【００３４】
また、逆拡散後の受信シンボルは、同期検波ＲＡＫＥ合成部１４により同期検波及びＲＡＫＥ合成される。同期検波及びＲＡＫＥ合成後の受信シンボルはデータ判定部１５に入力される。データ判定部１５では、シンボルからビットへの変換及び「０」「１」バイナリ判定が行われ、データ分離部１６では、無線区間制御データやデータ系列毎に分離するデータ分離が行われる。分離後のそれぞれのデータ系列は、それぞれに対応したデータ復号化部１７−１、１７−２により復号される。
【００３５】
挿入ＴＰＣ生成部２０では、呼毎のＳＩＲを用いて、挿入ＴＰＣが決定されて生成される。
具体的な方法としては、例えば、測定結果に応じて、一般的には、該当する呼のＴａｒｇｅｔＳＩＲと測定ＳＩＲとを比較して、（測定ＳＩＲ＞ＴａｒｇｅｔＳＩＲ）であるときには送信電力を低減させるためのコマンド（ＤＯＷＮコマンド）を決定及び生成して物理チャネルマッピング部３へ通知し、逆に、（測定ＳＩＲ＜ＴａｒｇｅｔＳＩＲ）であるときには送信電力を増加させるためのコマンド（ＵＰコマンド）を決定及び生成して物理チャネルマッピング部３へ通知する。
【００３６】
なお、以上の動作は、例えば、図６に示されるもの（従来技術）と同様である。
また、データ復号化部１７−１、１７−２や物理チャネルＢＥＲ推定部１８やＴａｒｇｅｔＳＩＲ制御部１９の動作は、本例において特に特徴的なものであり、以下で詳しく説明する。
以下では、本例の送信電力制御方法を実現するための主要部であるＴａｒｇｅｔＳＩＲ制御部１９の幾つかの構成例を示して説明する。
【実施例１】
【００３７】
本発明の第１実施例を説明する。
図２には、図１に示されるＴａｒｇｅｔＳＩＲ制御部１９の一構成例としてＴａｒｇｅｔＳＩＲ制御部１９ａの構成例を示してあり、また、データ復号化部１７−１、１７−２及び物理チャネルＢＥＲ推定部１８を示してある。
本例のＴａｒｇｅｔＳＩＲ制御部１９ａは、複数（本例では、２個示した）のＣＲＣ判定部４１−１、４１−２と、複数（本例では、２個示した）の調整係数制御部４２−１、４２−２と、加算部４３と、ＴａｒｇｅｔＳＩＲ更新処理部４４を備えている。
【００３８】
各ＣＲＣ判定部４１−１、４１−２は、ＣＲＣのＯＫ（成功）又はＮＧ（失敗）の判定を行う。
各調整係数制御部４２−１、４２−２は、ＴａｒｇｅｔＳＩＲを更新するための係数（調整係数）を出力する。
加算部４３は、加算処理を行う。
ＴａｒｇｅｔＳＩＲ更新処理部４４は、ＴａｒｇｅｔＳＩＲの更新処理を行う。
【００３９】
本例のデータ復号化部１７−１、１７−２や物理チャネルＢＥＲ推定部１８やＴａｒｇｅｔＳＩＲ制御部１９ａの動作の一例を示す。
データ分離部１６により分離されたパイロットビット、ユーザーデータ系列、制御データ系列は、それぞれ、物理チャネルＢＥＲ推定部１８、データ復号化部１７−１、データ復号化部１７−２に入力される。
データ復号化部１７−１では、ユーザーデータ系列の復号を行う。データ復号化部１７−２では、制御データ系列の復号を行う。これらの復号結果は物理チャネルＢＥＲ推定部１８に入力されるとともに、データ復号化部１７−１及びデータ復号化部１７−２による復号結果は、それぞれ、ＣＲＣ判定部４１−１及びＣＲＣ判定部４１−２に入力される。
【００４０】
物理チャネルＢＥＲ推定部１８では、例えば、予めメモリに記憶された既知である参照用パイロットビットと受信及び判定されたパイロットビットとを比較することにより、誤り訂正を行っていないすなわち物理チャネルの誤り率を推定することが可能である。或いは、例えば、復号前のデータ系列と復号後のデータを再符号化した系列とを比較することにより、物理チャネルの推定誤り率を検出することも可能である。
物理チャネルＢＥＲ推定部１８により検出された推定誤り率の情報は、各調整係数制御部４２−１、４２−２へ出力される。
【００４１】
各ＣＲＣ判定部４１−１、４１−２では、各データ復号化部１７−１、１７−２による復号結果について、ＣＲＣがＯＫであるか又はＮＧであるかを判定する。なお、本例では、送信側から受信される信号には、送信側においてＣＲＣ符号が付されているとする。
各ＣＲＣ判定部４１−１、４１−２では、ＣＲＣの判定結果に応じて、例えば、ＯＫであるときには“−１”の値を各調整係数制御部４２−１、４２−２へ出力し、ＮＧであるときには“＋１”の値を各調整係数制御部４２−１、４２−２へ出力する。
【００４２】
図３を参照して、各調整係数制御部４２−１、４２−２の動作例を説明する。
図３には、推定ＢＥＲとデータ系列のＢＬＥＲとの関係の一例を示してある。横軸は推定ＢＥＲ（物理ＣＨ＿ＢＥＲ）を表しており、縦軸はＢＬＥＲを表している。また、ユーザーデータと制御データのそれぞれの特性例を示してある。
【００４３】
ここで、図３の例では、ユーザーデータと制御データが別々の符号化方式や符号化率で符号化されている場合の一例を示してある。一般的に、使用される符号化方式の訂正能力などの違いにより、同じ物理チャネルの品質で伝送された場合においても、誤り訂正後のＢＬＥＲに差が出ることになる。図３の例では、ユーザーデータ系列には、高い訂正能力を持つが、物理チャネル特性が劣化すると訂正能力が急激に劣化する特性を持つ方式が適用されており、また、制御データ系列には、物理チャネルの特性が劣化しているときにおいてもある程度の訂正能力を維持できる特性を持つ方式が適用されている。
【００４４】
本例の送信電力制御方式では、このような符号化方式が持つ特徴を考慮しており、各調整係数制御部４２−１、４２−２は、例えば、図３に示されるような推定ＢＥＲに関する複数の領域（段階）ａ、ｂ、ｃ、ｄの定義をメモリに記憶しており、物理チャネルＢＥＲ推定部１８から入力される推定誤り率（本例では、推定ＢＥＲ）に基づいてそれがいずれの領域（段階）に位置するかを判断して、その結果に応じて調整係数出力を制御する。
【００４５】
図４を参照して、具体例を示す。
図４には、各調整係数制御部４２−１、４２−２の動作の一例として、各領域ａ、ｂ、ｃ、ｄについて、各比較結果に対応した調整係数出力を示してある。なお、調整係数に関して、（α＜β＜γ＜０）及び（α’＞β’＞γ’＞０）としてある。
一例として、領域ａでは、推定ＢＥＲが低い状態、すなわち物理チャネルの特性としては比較的良好な状態であると判断できるため、図４に示されるように、この領域ａにある状態の場合には、ＣＲＣがＮＧであったとしても、ＴａｒｇｅｔＳＩＲの更新をしないように（調整係数出力の値＝０）として制御し、過剰品質になることを防ぐ。逆に、領域ａにおいて、ＣＲＣがＯＫである場合には、品質に余裕があると判断して、ＴａｒｇｅｔＳＩＲを下げるように更新するために、（調整係数出力の値＝α）として制御する。
【００４６】
他の一例として、領域ｄでは、推定ＢＥＲが高い状態、すなわち物理チャネルの特性としては比較的悪い状態であると判断できるため、図４に示されるように、この領域ｄにある状態の場合には、ＣＲＣがＯＫであったとしても、ＴａｒｇｅｔＳＩＲの更新をしないように（調整係数出力の値＝０）として制御し、品質の劣化を防ぐ。逆に、領域ｄにおいて、ＣＲＣがＮＧである場合には、劣化許容範囲を超えていると判断して、ＴａｒｇｅｔＳＩＲを上げるように更新するために、（調整係数出力の値＝α’）として制御する。
また、他の領域ｂ、ｃについては、上記と同様な考え方により、領域ａと領域ｄとの間の調整係数出力の態様が用いられる。
【００４７】
加算部４３では、それぞれのデータ系列の復号結果を元に複数の調整係数制御部４２−１、４２−２から出力された調整係数を加算して、当該加算結果をＴａｒｇｅｔＳＩＲ更新処理部４４へ出力する。
そして、加算部４３により加算された加算後の調整係数を用いて、ＴａｒｇｅｔＳＩＲ更新処理部４４により更新処理がなされる。この更新処理では、例えば、（式１）が用いられる。ここで、ＴａｒｇｅｔＳＩＲ＿ｎｅｗは更新後のＴａｒｇｅｔＳＩＲであり、ＴａｒｇｅｔＳＩＲ＿ｏｌｄは更新前のＴａｒｇｅｔＳＩＲであり、加算後調整係数は加算部４３による調整係数の加算結果である。
【００４８】
（数１）
ＴａｒｇｅｔＳＩＲ＿ｎｅｗ
＝ＴａｒｇｅｔＳＩＲ＿ｏｌｄ＋（加算後調整係数）
・・（式１）
【００４９】
上記のような動作により、例えば、従来技術における方式のようにユーザーデータ系列のみの結果でＴａｒｇｅｔＳＩＲの更新を行ったり或いはユーザーデータ系列と制御データ系列のいずれか一方のみに着目してＴａｒｇｅｔＳＩＲの更新を行うのではなく、本例では、両方の系列に着目したＴａｒｇｅｔＳＩＲの更新を行うことが可能である。
更に、本例では、制御データ系列とユーザーデータ系列の重み付けに関して、例えば、図４に示されるα、β、γ、α’、β’、γ’をデータ系列毎に可変させることなどにより、任意に設定することが可能であり、これにより、符号化方式による訂正特性を考慮したＴａｒｇｅｔＳＩＲの更新を行うことが可能である。すなわち、データ系列の符号化方式の違いによるＣＲＣ−ＮＧ発生ポイントの違いを吸収することが可能である。
【００５０】
なお、本例の構成では、例えば、図１において、ＴａｒｇｅｔＳＩＲ制御部１９（本例のＴａｒｇｅｔＳＩＲ制御部１９ａ）にＴａｒｇｅｔＢＬＥＲが入力されなくてもよく、また、図４において、比較結果として、（測定ＢＬＥＲ＞ＴａｒｇｅｔＢＬＥＲ）及び（測定ＢＬＥＲ＜ＴａｒｇｅｔＢＬＥＲ）は使用されない。
【００５１】
以上のように、本例の送信電力制御方法や送信電力制御装置では、例えば、従来の技術における送信電力制御方法や送信電力制御装置の欠点である、訂正特性よるＣＲＣ−ＮＧ発生ポイントの違いに起因するデータの取りこぼしを低減することができ、インナーループ送信電力制御とアウターループ送信電力制御とを併用する送信電力制御方式を用いる場合に、同時に通信される制御データを含むデータ系列について、所望以上のデータ品質を確保することができる。
【実施例２】
【００５２】
本発明の第２実施例を説明する。
図５には、図１に示されるＴａｒｇｅｔＳＩＲ制御部１９の一構成例としてＴａｒｇｅｔＳＩＲ制御部１９ｂの構成例を示してあり、また、データ復号化部１７−１、１７−２及び物理チャネルＢＥＲ推定部１８を示してある。
本例のＴａｒｇｅｔＳＩＲ制御部１９ｂは、複数（本例では、２個示した）のＢＬＥＲ測定部７１−１、７１−２と、複数（本例では、２個示した）のＴａｒｇｅｔＢＬＥＲ比較部７２−１、７２−２と、複数（本例では、２個示した）の調整係数制御部７３−１、７３−２と、加算部７４と、ＴａｒｇｅｔＳＩＲ更新処理部７５を備えている。
【００５３】
各ＢＬＥＲ測定部７１−１、７１−２は、ＢＬＥＲの測定を行う。
各ＢＬＥＲ比較部７２−１、７２−２は、与えられたＴａｒｇｅｔＢＬＥＲと測定されたＢＬＥＲ（測定ＢＬＥＲ）との比較を行う。
各調整係数制御部７３−１、７３−２は、ＴａｒｇｅｔＳＩＲを更新するための係数（調整係数）を出力する。
加算部７４は、加算処理を行う。
ＴａｒｇｅｔＳＩＲ更新処理部７５は、ＴａｒｇｅｔＳＩＲの更新処理を行う。
【００５４】
本例のデータ復号化部１７−１、１７−２や物理チャネルＢＥＲ推定部１８やＴａｒｇｅｔＳＩＲ制御部１９ｂの動作の一例を示す。
まず、データ復号化部１７−１、１７−２や物理チャネルＢＥＲ推定部１８の動作は、図２を参照して説明したのと同様である。
各データ復号化部１７−１、１７−２から出力された各データ系列の復号結果を用いて、各ＢＬＥＲ測定部７１−１、７１−２によりＢＬＥＲの測定を行い、その測定結果を各ＴａｒｇｅｔＢＬＥＲ比較部７２−１、７２−２へ出力する。本例では、ＢＬＥＲの測定に、ＣＲＣがＯＫであるか又はＮＧであるかの判定結果を使用しており、任意の区間における累積のＮＧ数と累積の測定数との比でＢＬＥＲの測定を行う。
【００５５】
各ＴａｒｇｅｔＢＬＥＲ比較部７２−１、７２−２は、各ＢＬＥＲ測定部７１−１、７１−２による測定結果及び制御部等（図示せず）から与えられるＴａｒｇｅｔＢＬＥＲを用いて、例えば、（測定ＢＬＥＲ＞ＴａｒｇｅｔＢＬＥＲ）であるときには“＋１”の値を各調整係数制御部７３−１、７３−２へ出力し、（測定ＢＬＥＲ＜ＴａｒｇｅｔＢＬＥＲ）であるときには“−１”の値を各調整係数制御部７３−１、７３−２へ出力する。
【００５６】
各調整係数制御部７３−１、７３−２や加算部７４やＴａｒｇｅｔＳＩＲ更新処理部７５の動作は、図２及び図４を参照して説明したのと同様であるが、本例の各調整係数制御部７３−１、７３−２では、（ＣＲＣ−ＯＫ）及び（ＣＲＣ−ＮＧ）を用いる代わりに、（測定ＢＬＥＲ＜ＴａｒｇｅｔＢＬＥＲ）及び（測定ＢＬＥＲ＞ＴａｒｇｅｔＢＬＥＲ）を用いて調整係数の値を制御する。
ここで、（測定ＢＬＥＲ＜ＴａｒｇｅｔＢＬＥＲ）は、測定されたＢＬＥＲの方がＴａｒｇｅｔＢＬＥＲよりも小さいことから通信品質が良いことを意味しており、（測定ＢＬＥＲ＞ＴａｒｇｅｔＢＬＥＲ）は、測定されたＢＬＥＲの方がＴａｒｇｅｔＢＬＥＲよりも大きいことから通信品質が悪いことを意味している。
【００５７】
本例の構成では、１ブロックでのＣＲＣ−ＯＫ或いはＣＲＣ−ＮＧの結果を用いるのではなく、任意の区間におけるＢＬＥＲを用いることにより、平均化の効果を利用することが可能であり、急激なＴａｒｇｅｔＳＩＲの更新や過度な制御を防ぐことも可能である。
【００５８】
以上のように、本例では、受信したデータの受信品質が、与えられる目標データ品質（本例では、ＴａｒｇｅｔＢＬＥＲ）に近づくように、インナーループ送信電力制御に使用される目標信号品質（本例では、ＴａｒｇｅｔＳＩＲ）を更新するアウターループ送信電力制御を行う送信電力制御方法や送信電力制御装置において、受信データを受信データ系列毎に復号化する複数のデータ復号化部１７−１、１７−２と、前記データ復号化部１７−１、１７−２の復号結果やパイロットビット等の無線区間制御データから、そのデータを受信した物理チャネルの品質を推定する物理チャネルＢＥＲ推定部１８と、前記データ復号化部１７−１、１７−２の復号結果から、そのデータ系列の任意の時間区間におけるデータ品質をデータ系列毎に測定するＢＬＥＲ測定部７１−１、７１−２と、測定したデータ品質とＴａｒｇｅｔＢＬＥＲとを比較し、比較結果を出力するＴａｒｇｅｔＢＬＥＲ比較部７２−１、７２−２と、前記推定した物理チャネルの品質により複数の段階（本例では、領域ａ、ｂ、ｃ、ｄ）に分けて、その段階毎にＴａｒｇｅｔＢＬＥＲとの比較結果出力からＴａｒｇｅｔＳＩＲを更新するための調整係数を決定し、出力する調整係数制御部７３−１、７３−２と、そのデータ系列毎の調整係数を加算（合成）する加算部７４と、加算後の調整係数を用いてＴａｒｇｅｔＳＩＲを更新するＴａｒｇｅｔＳＩＲ更新処理部７５と、を備えた。
【００５９】
また、本例では、上記のような送信電力制御方法や送信電力制御装置において、送信データをデータ系列毎に符号化するデータ符号化部１−１、１−２と、前記符号化したデータを時間多重化するデータ多重化部２と、多重化後のデータにパイロットビット及びＴＰＣコマンドなどの無線区間制御データを挿入して送信データフレームを生成し、且つ無線区間に伝送するための物理チャネルへのマッピングを行う物理チャネルマッピング部３と、マッピングされた物理チャネル信号に対し、例えば、ＱＰＳＫ、１６ＱＡＭなどの一次変調を行う変調部４と、呼毎の拡散符号を用いて拡散変調を行う拡散部５と、ベースバンド受信信号から呼毎の参照符号を用いて呼の受信信号パスを抽出するパスサーチ部１１と、抽出されたパス位置に対して逆拡散を行う逆拡散部１２と、逆拡散後の受信シンボルからその信号品質（本例では、ＳＩＲ）を測定するＳＩＲ測定部１３と、逆拡散後の受信シンボルに対し同期検波及びＲＡＫＥ合成を施す同期検波ＲＡＫＥ部１４と、同期検波及びＲＡＫＥ合成された受信信号を判定するデータ判定部１５と、判定されたデータを無線区間制御データやデータ系列毎に分離するデータ分離部１６を備え、電力制御部（本例では、データ復号化部１７−１、１７−２や物理チャネルＢＥＲ推定部１８やＴａｒｇｅｔＳＩＲ制御部１９ｂ）により前記分離された後の受信データを用いて上述のような電力制御処理（ここでは、ＴａｒｇｅｔＳＩＲを更新することによりＴＰＣを制御する処理）を行う。
【００６０】
以上のように、本例の送信電力制御方法や送信電力制御装置では、例えば、従来の技術における送信電力制御方法や送信電力制御装置の欠点である、訂正特性よるＣＲＣ−ＮＧ発生ポイントの違いに起因するデータの取りこぼしを低減することができ、インナーループ送信電力制御とアウターループ送信電力制御とを併用する送信電力制御方式を用いる場合に、同時に通信される制御データを含むデータ系列について、所望以上のデータ品質を確保することができる。
【００６１】
なお、本例の送信電力制御装置では、データ復号化部１７−１、１７−２の機能によりデータ復号化手段が構成されており、物理チャネルＢＥＲ測定部１８の機能により物理チャネル品質検出手段が構成されており、ＢＬＥＲ測定部７１−１、７１−２の機能によりデータ品質検出手段が構成されており、ＴａｒｇｅｔＢＬＥＲ比較部７２−１、７２−２の機能によりデータ品質比較手段が構成されており、調整係数制御部７３−１、７３−２の機能により係数決定手段が構成されており、加算部７４の機能により係数合成手段が構成されており、ＴａｒｇｅｔＳＩＲ更新処理部７５の機能により目標信号品質更新手段が構成されている。
【００６２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００６３】
【図１】本発明の一実施例に係る送信電力制御装置の構成例を示す図である。
【図２】本発明の第１実施例に係るＴａｒｇｅｔＳＩＲ制御部の構成例を示す図である。
【図３】推定ＢＥＲとデータ系列のＢＬＥＲとの関係の一例を示す図である。
【図４】調整係数制御部の動作の一例を示す図である。
【図５】本発明の第２実施例に係るＴａｒｇｅｔＳＩＲ制御部の構成例を示す図である。
【図６】送信電力制御装置の構成例を示す図である。
【図７】ＴａｒｇｅｔＳＩＲ制御部の動作の一例を示す図である。
【符号の説明】
【００６４】
１−１、１−２、１０１−１、１０１−２・・データ符号化部、  ２、１０２・・データ多重化部、  ３、１０３・・物理チャネルマッピング部、  ４、１０４・・変調部、  ５、１０５・・拡散部、  １１、１１１・・パスサーチ部、  １２、１１２・・逆拡散部、  １３、１１３・・ＳＩＲ測定部、  １４、１１４・・同期検波ＲＡＫＥ部、  １５、１１５・・データ判定部、  １６、１１６・・データ分離部、  １７−１、１７−２、１１７−１、１１７−２・・データ復号化部、  １８・・物理チャネルＢＥＲ推定部、  １９、１９ａ、１９ｂ、１１８・・ＴａｒｇｅｔＳＩＲ制御部、  ２０、１１９・・挿入ＴＰＣ生成部、  ４１−１、４１−２・・ＣＲＣ判定部、  ４２−１、４２−２、７３−１、７３−２・・調整係数制御部、  ４３、７４・・加算部、  ４４、７５・・ＴａｒｇｅｔＳＩＲ更新処理部、  ７１−１、７１−２・・ＢＬＥＲ測定部、  ７２−１、７２−２・・ＴａｒｇｅｔＢＬＥＲ比較部、
【図１】
0004939453.tif 000002
【図２】
0004939453.tif 000003
【図３】
0004939453.tif 000004
【図４】
0004939453.tif 000005
【図５】
0004939453.tif 000006
【図６】
0004939453.tif 000007
【図７】
0004939453.tif 000008